(57)【特許請求の範囲】
【請求項１】
ゲーム開始時に、盤面の中心に表示された中心スポット上に中心駒を配置すると共
に、盤面の中心スポット周囲にそれと同心的に、各競技者の識別表示が施された１
２個の的駒及び６個の的駒を各々外側及び内側に、何れも交互に六角形状に互いに
略最密状態で配置し、盤面の所定エリアから各競技者の弾き駒を弾いて前記的駒及
び中心駒に当てると共に当てた駒を盤面四隅のポケットに入れることを競うゲーム
に使用されるキャロムゲーム盤において、盤面の中心スポット周囲に、前記外側の
的駒の位置を指示する的駒用マークが表示されると共に、各的駒用マークの半径方
向外方に沿って、該的駒用マーク上に配置される外側の的駒の識別表示を指示する
識別表示マークと、前記外側の的駒の半径方向内側に隣接して配置される内側の的
駒の識別表示を指示する識別表示マークとが各々外側及び内側に隣接して表示され
たことを特徴とするキャロムゲーム盤。
【請求項２】
的駒用マークが的駒と同径又は略同径の円又は円弧からなる請求項１に記載のキャロムゲーム盤。
【発明の詳細な説明】
【技術分野】
【０００１】
本発明は、盤上ゲームの一種として知られるキャロム又はそれに類似したゲームを実施するためのキャロムゲーム盤に関する。
【背景技術】
【０００２】
ビリヤードとお弾き遊びを合体させたような盤上ゲームは、カロム、キャロムその他の名称で世界的にも広く知られ、それらを実施するためのゲーム盤や基本ルールは概して類似するものの国や地域によって相違点も多く、また同様のゲーム盤を使用しても異なったルール、独自のルールが採用される場合もある。
【０００３】
例えば、国際キャロム連盟の傘下にある日本キャロム連盟で採用されている盤上ゲームは、キャロムと称され、これに使用されるキャロムゲーム盤は、四角形枠で囲まれた盤面の四隅にポケットが穿設され、さらに盤面の中心に、中心駒をゲーム開始時に配置する位置を指示する中心スポットが表示され、盤面の中心スポット周囲に、それと同心に、各競技者の識別表示が施された的駒をゲーム開始時に所定の配列で配置する区域を指示するセンターサークルが表示され、盤面のセンターサークル外側に、盤面の各側辺に沿って、各競技者の弾き駒を発射する位置を指示するベースラインが表示されて構成される。
【０００４】
前記キャロムゲーム盤を使用した一つの競技方法は、２名又は２名ずつペアを組んだ２組の各競技者が各自の側のベースライン上に配置した自らの弾き駒を弾いて盤面上にある自他の的駒及び中心駒に当て、何れかのポケットに自らの的駒及び中心駒を入れることを競うものである（非特許文献１）。
【非特許文献１】杉原正樹編著「カロムロード」２００２年２月１５日サンライズ出版発行
【発明の開示】
【発明が解決しようとする課題】
【０００５】
前記キャロムでは、ゲーム開始時に各競技者の識別表示が施された的駒が盤面のセンターサークル内に所定の配列で配置される。具体的には、盤面の中心スポット周囲にそれと同心に、各競技者の２色に色分けされた１２個の的駒及び６個の的駒を各々外側及び内側に、何れも交互に六角形状に互いに略最密状態で配置される。
【０００６】
このような的駒の配置作業に各的駒の精密な位置決めを要求されるものではないとしても、前記六角形状の交互配置態様は特に初心者には複雑であり、従って前記的駒の配置作業は意外に面倒で時間を要し、さらに的駒の最終的な配置状態も幾分乱雑な配置になり勝ちであった。
【０００７】
本発明の解決すべき課題は、前記問題点に鑑み、各競技者の的駒をゲーム開始時に盤面に所定の配列で配置するに際して、該的駒の配置作業性の向上と良好な配置状態の実現を可能にするキャロムゲーム盤を提供することにある。
【課題を解決するための手段】
【０００８】
請求項１に記載のキャロムゲーム盤は、ゲーム開始時に、盤面の中心に表示された中心スポット上に中心駒を配置すると共に、盤面の中心スポット周囲にそれと同心に、各競技者の識別表示が施された１２個の的駒及び６個の的駒を各々外側及び内側に、何れも交互に六角形状に互いに略最密状態で配置し、盤面の所定エリアから各競技者の弾き駒を弾いて前記的駒及び中心駒に当てると共にそれらを盤面の四隅のポケットに入れることを競うゲームに使用されるキャロムゲーム盤において、
盤面の中心スポット周囲に、前記外側の的駒及び内側の的駒の位置を指示する的駒用マークが表示されると共に、各的駒用マークに、該的駒用マーク上に配置される的駒の識別表示が施されたことを特徴としている。
【０００９】
前記構成において、ゲーム開始時に、各競技者の的駒は、盤面に表示された的駒用マーク上に、それらに施された各競技者の識別表示に基いて配置され、それによって、盤面の中心スポット周囲にそれと同心に、各競技者の識別表示が施された１２個の的駒及び６個の的駒が各々外側及び内側に、何れも交互に六角形状に互いに略最密状態で配置されることになる。
【００１０】
請求項２に記載のキャロムゲーム盤は、既述の請求項１に記載のキャロムゲーム盤の変形例に係るものであり、ゲーム開始時に、盤面の中心に表示された中心スポット上に中心駒を配置すると共に、盤面の中心スポット周囲にそれと同心に、各競技者の識別表示が施された１２個の的駒及び６個の的駒を各々外側及び内側に、何れも交互に六角形状に互いに略最密状態で配置し、盤面の所定エリアから各競技者の弾き駒を弾いて前記的駒及び中心駒に当てると共にそれらを盤面の四隅のポケットに入れることを競うゲームに使用されるキャロムゲーム盤において、
盤面の中心スポット周囲に、前記外側の的駒の位置を指示する的駒用マークが表示されると共に、各的駒用マークの半径方向外方に沿って、該的駒用マーク上に配置される外側の的駒の識別表示を指示する識別表示マークと、前記外側の的駒の半径方向内側に隣接して配置される内側の的駒の識別表示を指示する識別表示マークとが各々外側及び内側に隣接して表示されたことを特徴としている。
【００１１】
前記構成において、ゲーム開始時に、各競技者の的駒は、各的駒用マークの半径方向外方に沿って半径方向に一個所又は二個所にわたって表示された識別表示マークの識別表示に基いて、盤面に表示された各的駒用マーク上及びその半径方向内側に隣接する位置上に配置され、それによって、盤面の中心スポット周囲にそれと同心に、各競技者の識別表示が施された１２個の的駒及び６個の的駒が各々外側及び内側に、何れも交互に六角形状に互いに略最密状態で配置されることになる。
【００１２】
前記的駒、的駒用マーク、識別表示マーク等における各競技者の識別表示としては、
従来のように、白色と黒色のような２色の色分けにより施されればよいが、その
ような色彩による識別表示以外に、必要に応じて、図形、模様やそれらと色彩と
の組み合わせ等、その他の識別表示が採用されてもよい。いずれにしてもこのよ
うな構成とすることで、的駒用マーク上に配置した的駒の数とその表示が正しい
ものか否かは識別表示マークに照らしあわすことで簡単確実に行うことができ、
ゲームの公正さを保つ上で有効である。
【００１３】
請求項３に記載のキャロムゲーム盤は、請求項１〜２に記載の前記キャロムゲーム盤において、的駒用マークが的駒と同径又は略同径の円又は円弧からなるものである。
【００１４】
前記構成においては、ゲーム開始時に各的駒は前記円又は円弧からなる的駒用マーク上に配置される。この場合、的駒用マークを構成する円の外形線及び／又は内部に、必要に応じて、色彩、模様その他からなる識別表示が施されてもよい。なお、前記的駒用マークは、前記円又は円弧以外の図形、例えば三角形その他の多角形や＋印、×印等であってもよい。また、前記識別表示マークは、例えば円その他の図形に識別表示としての色彩が施されたもの等を好適に採用することができる。
【発明の効果】
【００１５】
請求項１に記載の発明によれば、ゲーム開始時に、各競技者の的駒は、盤面に表示された、外側の的駒及び内側の的駒の位置を指示する的駒用マーク上に、それらに施された各競技者の識別表示に基いて配置されるので、従来のように的駒用マーク無しで配置する場合に比べて、配置作業性の向上と良好な配置状態の実現を可能にするものである。
【００１６】
請求項２に記載の発明によれば、ゲーム開始時に、各競技者の的駒は、盤面に表示された、外側の的駒の位置を指示する的駒用マーク上及びその半径方向内側に隣接する位置上に、各的駒用マークの半径方向外方に沿って一個所又は二個所にわたって表示された識別表示マークの識別表示に基いて配置されるので、従来のように的駒用マーク及び識別表示マーク無しで配置する場合に比べて、配置作業性の向上と良好な配置状態の実現を可能にするものである。
【００１７】
また、請求項３に記載の発明によれば、ゲーム開始時に、各競技者の的駒は、該的駒と同径又は略同径の円又は円弧からなる的駒用マーク上に配置されるので、的駒の配置作業を容易且つ正確に行うことができる。
【発明を実施するための最良の形態】
【００１８】
以下に、本発明を実施例に基いて具体的に説明する。
図１（Ａ）及び（Ｂ）は、本発明の実施例１に係るキャロムゲーム盤の各々的駒配置前及び的駒配置後における平面図である。
図２（Ａ）及び（Ｂ）は、本発明の実施例２に係るキャロムゲーム盤の各々的駒配置前及び的駒配置後における平面図である。
図３（Ａ）及び（Ｂ）は、従来公知の基本のキャロムゲーム盤の各々的駒配置前及び的駒配置後における平面図である。
【実施例】
【００１９】
［基本のキャロムゲーム盤Ｃ］
図３（Ａ）に示す従来公知の基本のキャロムゲーム盤Ｃでは、四角形枠１で囲まれた盤面２の四隅に円形の開口部を有するポケット３が穿設され、さらに盤面２の中心に、中心駒１１をゲーム開始時に配置する位置を指示する中心スポット４が表示され、盤面２の中心スポット４周囲に、それと同心に、各競技者の白色と黒色の色分けによる識別表示が施された計１８個の的駒１２a、１２b、１３a、１３bをゲーム開始時に所定の配列で配置する区域を指示するセンターサークル５が表示され、盤面２のセンターサークル５外側に、盤面２の各側辺に沿って、各競技者の弾き駒（図示省略）を発射する位置を指示する平行２本のベースライン６が表示されている。
【００２０】
ゲーム開始に際しては、図３（Ｂ）に示すように、盤面２の中心スポット４上に中心駒１１が配置され、さらに中心スポット４周囲のセンターサークル５内に、中心スポット４と同心に、各競技者の白色と黒色の色分けによる識別表示が施された１２個の的駒１２a、１２b及び６個の的駒１３a、１３bが各々外側及び内側に、交互に六角形状に互いに略最密状態で配置される。
【００２１】
［実施例１］
図１（Ａ）及び（Ｂ）に示す実施例１に係るキャロムゲーム盤Ｃ１において、盤面の中心スポット周囲における前記外側の１２個の的駒１２a、１２bが配置される位置に、それらの位置を指示する円形の的駒用マーク８a、８bが白色と黒色の色分けによる対応する識別表示と共に表示され、また前記内側の６個の的駒１３a、１３bが配置される位置に、それらの位置を指示する円形の的駒用マーク９a、９bが白色と黒色の色分けによる対応する識別表示と共に表示されている。
【００２２】
ゲーム開始に際しては、図１（Ｂ）に示すように、盤面２の中心スポット４上に中心駒１１が配置され、さらに的駒用マーク８a、８b上に外側の１２個の的駒１２a、１２bが両者の識別表示を整合させて配置されると共に、的駒用マーク９a、９b上に内側の６個の的駒１３a、１３bが両者の識別表示を整合させて配置される。
【００２３】
［実施例２］
図２（Ａ）及び（Ｂ）に示す実施例２に係るキャロムゲーム盤Ｃ２において、盤面の中心スポット周囲における前記外側の１２個の的駒１２a、１２bが配置される位置に、それらの位置を指示する外方向に凸弧形状の的駒用マーク１８が表示され、各的駒用マーク１８の半径方向外方に沿って、該的駒用マーク１８上に配置される外側の的駒１２a、１２bの白色と黒色の色分けによる識別表示を指示する識別表示マーク２１a、２１bと、前記外側の的駒１２a、１２bの半径方向内側に隣接して配置される内側の的駒１３a、１３bの白色と黒色の色分けによる識別表示を指示する識別表示マーク２２a、２２bとが各々外側及び内側に隣接して表示されている。前記の場合、外側における六角形配置の頂点に位置しない的駒１２bについてはその半径方向内側に隣接して配置される内側の的駒は存在しないので、前記的駒１２bに対応する識別表示マーク２１bの内側に隣接する識別表示マークも表示されていない。なお、的駒用マーク１８として、前記凸弧形状の代わりに、例えば円形その他の形状が使用されてもよい。
【００２４】
ゲーム開始に際しては、図２（Ｂ）に示すように、盤面２の中心スポット４上に中心駒１１が配置され、さらに外側の的駒１２a、１２bの位置を指示する的駒用マーク１８上及びその半径方向内側に隣接する位置上に、各的駒用マーク１８の半径方向外方に沿って半径方向に一個所又は二個所にわたって表示された識別表示マーク２１a、２１b及び２２a、２２bの識別表示に基いて配置される。なお、前記の各的駒用マーク１８に、識別表示マーク２１a、２１bに対応する白色と黒色の色分けによる識別表示が施されていてもよい。
【図面の簡単な説明】
【００２５】
【図１】図１（Ａ）及び（Ｂ）は、本発明の実施例１に係るキャロムゲーム盤の各々的駒配置前及び的駒配置後における平面図である。
【図２】図２（Ａ）及び（Ｂ）は、本発明の実施例２に係るキャロムゲーム盤の各々的駒配置前及び的駒配置後における平面図である。
【図３】図３（Ａ）及び（Ｂ）は、従来公知の基本のキャロムゲーム盤の各々的駒配置前及び的駒配置後における平面図である。
【符号の説明】
【００２６】
Ｃ、Ｃ１、Ｃ２  キャロムゲーム盤
１  四角形枠
２  盤面
３  ポケット
４  中心スポット
５  センターサークル
６  ベースライン
８a、８b  的駒用マーク
９a、９b  的駒用マーク
１１  中心駒
１２a、１２b  的駒
１３a、１３b  的駒
１８  的駒用マーク
２１a、２１b  識別表示マーク
２２a、２２b  識別表示マーク
【図１】
0004480045.tif 000002
【図２】
0004480045.tif 000003
【図３】
0004480045.tif 000004